(57)【要約】【課題】使い勝手がよく、陳列の演出に好適な皿スタンドを提供すること。【解決手段】円形状又は多角形状の上部環状体１と、多角形状の下部環状体２と、上部環状体１と下部環状体２を接続する支柱３とを備える皿用スタンド１０であって、上部環状体１と下部環状体２は互いに異形状であって、且つそれぞれの環状体に内接する仮想円が同一径である。【選択図】図３
2014140390.tif 000002
【特許請求の範囲】
【請求項１】
円形状又は多角形状の上部環状体と、多角形状の下部環状体と、該上部環状体と該下部環状体を接続する支柱とを備える皿用スタンドであって、
該上部環状体と該下部環状体は互いに異形状であって、且つそれぞれの環状体に内接する仮想円が同一径であることを特徴とする皿用スタンド。
【請求項２】
該上部環状体が八角形状であり、該下部環状体が四角形状であることを特徴とする請求項１記載の皿用スタンド。
【請求項３】
該上部環状体が円形状であり、該下部環状体が八角形状であることを特徴とする請求項１記載の皿用スタンド。
【請求項４】
該上部環状体が円形状であり、該下部環状体が四角形状であることを特徴とする請求項１記載の皿用スタンド。
【請求項５】
該上部環状体が六角形状であり、該下部環状体が四角形状であることを特徴とする請求項１記載の皿用スタンド。
【請求項６】
該上部環状体が多角形状であり、該支柱の上端は、該上部環状体の角に接続され、該支柱の下端は、該下部環状体の角に接続されることを特徴とする請求項１記載の皿用スタンド。
【発明の詳細な説明】
【技術分野】
【０００１】
本発明は、展示用や販売用の皿あるいは陳列商品や販売商品等を載せる陳列容器としての皿の設置に好適な反転使用できる皿用スタンドに関するものである。
【背景技術】
【０００２】
展示用や販売用の皿あるいは陳列商品や販売商品等を載せる陳列容器としての皿の設置に使用する皿スタンドとしては、種々のものが知られている。一般的には、床に接地する基台と、お皿を載せるリングと、該基台と該リングを接続する支柱とからなるものが挙げられる（意匠登録１２５９２７８号公報、意匠登録１１１４８１８号公報）。
【先行技術文献】
【非特許文献】
【０００３】
【非特許文献１】意匠登録１２５９２７８号公報
【非特許文献２】意匠登録１１１４８１８号公報
【発明の概要】
【発明が解決しようとする課題】
【０００４】
しかしながら、これらの皿スタンドは、機能的には使い勝手がよいものの、展示用や販売用の高級なお皿の陳列や、高級感を演出する陳列用の皿スタンドとしては、特に基台の形状がありふれており、陳列の演出に欠ける。そこで、使い勝手がよく、陳列の演出に好適な皿用スタンドの開発が望まれていた。
【０００５】
従って、本発明は、使い勝手がよく、陳列の演出に好適な皿用スタンドを提供することにある。
【課題を解決するための手段】
【０００６】
かかる実情において、本発明者等は鋭意検討を行った結果、基台の形状を皿が載る形状とすると共に、上部環状体と異なる形状のものとすれば、上部環状体にも下部環状体にもお皿を載せることができ、上下反転して使用できること、上部環状体と下部環状体の形状が異なるため、上下反転して使用した場合、趣が全く異なる陳列を演出できること等を見出し、本発明を完成するに至った。
【０００７】
すなわち、本発明は、円形状又は多角形状の上部環状体と、多角形状の下部環状体と、該上部環状体と該下部環状体を接続する支柱とを備える皿用スタンドであって、該上部環状体と該下部環状体は互いに異形状であって、且つそれぞれの環状体に内接する仮想円が同一径である皿用スタンドを提供するものである。
【発明の効果】
【０００８】
本発明によれば、使い勝手がよく、上下反転して使用でき、２つの異なる陳列を演出できる。
【図面の簡単な説明】
【０００９】
【図１】本発明の第１の実施の形態における皿用スタンドの斜視図である。
【図２】図１の皿用スタンドを上下反転した状態の斜視図である。
【図３】図１の皿用スタンドに皿を取り付ける様子を示す図である。
【図４】図１の皿用スタンドの使用状態を示す図である。
【図５】上下反転した皿用スタンドの使用状態図である。
【図６】図１の皿用スタンドにおける内接する仮想円を説明する図である。
【図７】本発明の第２の実施の形態における皿用スタンドの斜視図である。
【図８】図７の皿用スタンドを上下反転した状態の斜視図である。
【図９】図７の皿用スタンドの使用状態を示す図である。
【図１０】上下反転した皿用スタンドの使用状態図である。
【図１１】図７の皿用スタンドにおける内接する仮想円を説明する図である。
【図１２】他の実施の形態における皿用スタンドにおける内接する仮想円を説明する図である。
【発明を実施するための形態】
【００１０】
本発明の第１の実施の形態における皿用スタンドを図１〜図６を参照して説明する。皿用スタンド１０は、正八角形状の上部環状体１と、正四角形状の下部環状体２と、上部環状体１と下部環状体２を接続する支柱３とを備える。
【００１１】
上部環状体１は、皿状体２０を載置する機能及び上下反転使用により基礎枠としての機能を奏するものである。また、上部環状体１は、細長で且つ薄板の金属製のもので正八角形状であり、薄板を構成する上下面である平坦面がそれぞれ上向き、下向きとなる。これにより、皿状体２０の設置が安定する。また、上部環状体１は、水平置きであり、側面視で一本の水平部材として表われる。なお、正八角形状の上部環状体１は、１本の細長の薄板体を８本準備し、それぞれ端部を連続的に接合したものが使用できる。上部環状体１は、図６に示すように、直径Ｄ１の仮想円５を内接している。仮想円５は、実際は存在しないものであり、上部環状体１や下部環状体２の形状を説明するための便宜上のものを言う。皿状体２０は、皿本体４１と直径Ｄ２よりやや小の直径を有する高台４２を有している。従って、皿状体２０の高台４２を上部環状体１の内側に入れ込むことができる（図３及び図４）。
【００１２】
下部環状体２は、基礎枠としての機能及び上下反転使用により、皿状体２０を載置する機能を奏するものである。また、下部環状体２は、細長で且つ薄板の金属製のもので正四角形状であり、薄板を構成する上下面である平坦面がそれぞれ上向き、下向きとなる。また、下部環状体２は、水平置きであり、側面視で一本の水平部材である。これにより、設置面への設置が安定する。なお、正四角形状の下部環状体２は、１本の細長の薄板体を４本準備し、それぞれ端部を連続的に接合したものが使用できる。また、正四角形状を構成する４辺は、上部環状体１の正八角形状を構成する４辺と平面視において平行となるように配置されている。これにより、上部環状体１と下部環状体２のそれぞれの角を支柱３で接合すると、バランスがとれた高い支持強度で支持できる。また、下部環状体２は、図６に示すように、直径Ｄ２の仮想円５を内接している。直径Ｄ１の仮想円５と直径Ｄ２の仮想円５は同じである。すなわち、上部環状体１と下部環状体２の内接の仮想円は同一である。従って、皿用スタンド１０を上下逆さにした場合、皿状体２０の高台４２を下部環状体２に嵌め込むことができる（図３及び図４）。皿用スタンド１０を上下逆さにした場合、上部環状体１が設置面に設置されることになり、安定して設置できる。
【００１３】
支柱３は、上部環状体１と下部環状体２を接続する部材であり、皿用スタンド１０を強度的に安定したものにすると共に、高さを決定する補強部材である。支柱３は、上部環状体１や下部環状体２と同様に、細長で且つ板状のものである。皿用スタンド１０において、支柱３の上端は、上部環状体１の角に接続され、支柱の下端は、該下部環状体の角に接続される。本例の支柱３は、略Ｖ字形状であり、Ｖ字の上方の２つの端部は八角形の隣接する２つの角にそれぞれ接続し、Ｖ字の下方の端部（Ｖ字の根元）は対応する四角形の角に接続している。同様に、このような略Ｖ字形状の支柱３を３本準備し、上部環状体１と下部環状体２の角同士を接続する。なお、支柱３の形状は、上記略Ｖ字形状のものに限定されず、略Ｉ字形状のものを８本使用し、それぞれの端部を上部環状体１と下部環状体２の対応する角に接合してもよい。支柱３の高さは使用場所、バランス、陳列の演出効果などにより適宜決定される。
【００１４】
皿用スタンド１０は、上部環状体１と下部環状体２は互いに異形状であって、且つそれぞれの環状体に内接する仮想円が同一径であるため、それぞれ皿状体２０の設置枠（設置台）になり、また、それぞれ設置面への基台にもなる。このため、上下反転使用でき、趣のある陳列を演出できる。
【００１５】
皿用スタンド１０は、皿状体２０を上部環状体１又は下部環状体２に載せることで、商品陳列スタンド３０を構成することができる（図４及び図５）。皿状体２０は、それ自体、販売されたり展示されたりする皿、あるいは別途の陳列商品や販売商品等を載せる陳列容器としての皿である。また、皿状体２０は上記実施の形態例に限定されず、例えば、本体部である板状体の裏面に円弧状又は部分円弧状の突起を形成したものであってもよい。
【００１６】
次に、皿用スタンド１０の使用方法を説明する。図３に示すように、皿状体２０を皿用スタンド１０の上方から下方に下ろし、上部環状体１の内側に、皿状体２０の高台４２を入れ込む。この操作は、単に、上部環状体１に皿状体２０を置くだけでよい。これにより、商品陳列スタンド３０が完成する（図４）。商品陳列スタンド３０の皿状体２０には、例えば販売用の小物商品等が陳列される。また、皿状体２０自体が展示したいもの、あるいは販売用の皿である場合、皿用スタンド１０が商品販売用のスタンドとなる。次に、陳列の趣を変更したい場合、皿用スタンド１０を上下反転して設置し、下部環状体２に皿状体２０を設置することができる（図５）。このように、１台の皿用スタンド１０を２通りの設置方法とすることができ、陳列の演出の変更を簡単に行える。
【００１７】
次に、本発明の第２の実施の形態における皿用スタンドを図７〜図１１を参照して説明する。皿用スタンド１０ａは、リング形状の上部環状体１ａと、四角形状の下部環状体２と、上部環状体１ａと下部環状体２を接続する支柱３ａとを備える。
【００１８】
上部環状体１ａは、皿状体２０を載置する機能及び上下反転使用により基礎枠としての機能を奏するものであり、本例では円形薄板の金属製のものである。また、薄板を構成する上下面である平坦面がそれぞれ上向き、下向きとなる。また、上部環状体１ａは、水平置きであり、側面視で一本の水平部材として表われる。なお、上部環状体１ａは、図１１に示すように、直径Ｄ３の仮想円５を内接する。仮想円５は、実際は存在しないものであり、上部環状体１ａや下部環状体２の形状を説明するための便宜上のものを言う。皿状体２０は、第１の実施の形態におけるものと同様であり、その説明を省略する。従って、皿用スタンド１０ａにおいても、皿用スタンド１０と同様に、皿状体２０の高台４２を上部環状体１に嵌め込むことができる（図３及び図４）。
【００１９】
下部環状体２は、第１の実施の形態におけるものと同様であり、その説明を省略する。また、上部環状体１ａにおける下部環状体２の配置は、上部環状体１ａの形状がリング状であるため、平面視において、どのように設置しても同じである。下部環状体２は、図１１に示すように、直径Ｄ２の仮想円５を内接する。直径Ｄ３の仮想円５と直径Ｄ２の仮想円５は同じである。すなわち、上部環状体１ａと下部環状体２の内接の仮想円は同一である。従って、皿用スタンド１０ａを上下逆さにした場合、皿状体２０の高台４２を下部環状体２に嵌め込むことができる（図９及び図１０参照）。皿用スタンド１０ａを上下逆さにした場合、上部環状体１ａが設置面に設置されることになり、安定して設置できる（図１０参照）。
【００２０】
支柱３ａは、上部環状体１ａと下部環状体２を接続する部材であり、皿用スタンド１０を強度的に安定したものにすると共に、高さを決定する補強部材である。本例では、支柱３ａは、下部環状体２と同様に、細長で且つ板状のものであり、下端が下部環状体２の角に接続され、鉛直方向に延出して、上端が上部環状体に接続される。従って、本例では、支柱３は４本である。なお、支柱３の形状は、上記略Ｉ字形状のものに限定されず、種々のものが使用できる。支柱３の高さは使用場所、バランス、陳列の演出効果などにより適宜決定される。
【００２１】
皿用スタンド１０ａは、上部環状体１ａと下部環状体２は互いに異形状であって、且つそれぞれの環状体に内接する仮想円が同一径であるため、それぞれ皿状体２０の設置枠（設置台）になり、また、それぞれ設置面への基礎枠にもなる。このため、上下反転使用でき、趣のある陳列を演出できる。皿用スタンド１０ａは、皿状体２０を上部環状体１ａ又は下部環状体２に載せることで、商品陳列スタンド３０ａを構成することができる（図９及び図１０）。皿用スタンド１０ａの使用方法は、皿用スタンド１０と同様であり、その説明を省略する。
【００２２】
本発明において、上部環状体１と下部環状体２は互いに異形状であり、その形状については、上記実施の形態例に限定されず、例えば、上部環状体１と下部環状体２が、それぞれ円と四角形状や八角形状等の多角形状である組み合わせ；三角形状と四角形状、六角形状と四角形状等の多角形状と該多角形状と異なる他の多角形状の組み合わせなどが挙げられる。円と多角形（ｎ角形）の場合、ｎは３〜８、好ましくは４〜８の中から選択される整数である。また、多角形状（ｍ角形）と該多角形状と異なる他の多角形状（ｐ角形）場合、ｍ及びｐは３〜８、好ましくは４〜８の中から選択される互いに異なる整数であり、且つ角（ｍとｐ）の数が２つ以上、好ましくは４つの異なるもの同士が上下反転して使用した場合の全体形状が大きく異なる印象を与える点で好ましい。
【００２３】
なお、図１２は、上部環状体１ｂが四角形状、下部環状体２ａが三角形状である皿用スタンド１０ｂにおける内接する仮想円５を示したものである。皿用スタンド１０ｂにおいても、下部環状体２ａの内接円の直径２Ｒと上部環状体１ｂの内接円の直径Ｄ４は同じである。従って、上下反転して使用した際、同じ形状の皿状体２０を下部環状体２ａに載せることができる。
【００２４】
本発明の皿用スタンドは上記実施の形態例に限定されず、種々の変形例を採ることができる。上部環状体、下部環状体及び支柱は、上記の細長の板状体に制限されず、細長の円形断面形状の棒部材であってもよい。また、支柱の使用本数及び支柱の上部環状体と下部環状体に対する接続位置は、上記実施の形態例に限定されず、適宜決定すればよい。
【産業上の利用可能性】
【００２５】
本発明の皿用スタンドは、上下反転使用できるため、簡易な構造でありながら、同じ形状の皿状体を２通りの陳列方法で設置することが可能となる。このため、顧客及び販売者に対して変化のある陳列を提供できる。
【符号の説明】
【００２６】
１、１ａ、１ｂ    上部環状体
２、２ａ    下部環状体
３    支柱
４    皿状体
５    仮想円
１０、１０ａ、１０ｂ    皿用スタンド
【図１】
2014140390.tif 000003
【図２】
2014140390.tif 000004
【図３】
2014140390.tif 000005
【図４】
2014140390.tif 000006
【図５】
2014140390.tif 000007
【図６】
2014140390.tif 000008
【図７】
2014140390.tif 000009
【図８】
2014140390.tif 000010
【図９】
2014140390.tif 000011
【図１０】
2014140390.tif 000012
【図１１】
2014140390.tif 000013
【図１２】
2014140390.tif 000014